(57)【要約】      （修正有）【課題】外壁を装飾することもできる保温幅木構造を提供する。【解決手段】保温幅木構造は、建築本体１を備え、建築本体の外側には、断熱層２が設けられており、断熱層上段は、地上に位置し、下段は、地下に挿入され、断熱層の上方には、水切り板３が設けられており、断熱層の外側には、金属板４が敷設されており、金属板は、断熱層の外側表面を完全に覆い、且つ下方向に向かって延伸して下端が断熱層の底部を覆ってから、建築本体の外壁に密着しており、金属板地下の部分の外側には、セメントプラスタ層が設けられている。建築を断熱層で保温するとともに、水切り板と断熱層の外側の金属板を介して防水を行い、地面の多湿環境が、外壁を直接に侵食するのを防ぐために、断熱板及び金属板の下方は、地下に挿入され、その後、地下の金属板をセメントプラスタ層で保護する。【選択図】図１
0003234384.tif 000002
【実用新案登録請求の範囲】
【請求項１】
建築本体（１）を備えた外壁を装飾するための保温幅木構造であって、
建築本体（１）の外側には、断熱層（２）が設けられており、断熱層（２）上段は、地上に位置し、下段は、地下に挿入され、断熱層（２）の上方には、断熱層（２）上方の水流を遮蔽するための水切り板（３）が設けられており、
断熱層（２）の外側には、金属板（４）が敷設されており、金属板（４）は、断熱層（２）の外側表面を完全に覆い、且つ下方向に向かって延伸して下端が断熱層（２）の底部を覆ってから、建築本体（１）の外壁に密着しており、
前記金属板（４）地下の部分の外側には、セメントプラスタ層（７）が設けられている、ことを特徴とする外壁を装飾するための保温幅木構造。
【請求項２】
前記セメントプラスタ層（７）と金属板（４）との間には、金属網が設けられており、前記金属網は、金属板（４）に固定されており、セメントプラスタ層（７）は、網掛けプラスタ施工法により金属板（４）の外側に設けられている、ことを特徴とする請求項１に記載の外壁を装飾するための保温幅木構造。
【請求項３】
前記金属板（４）と金属網との間にエポキシ接着剤が塗布されており、金属網は、エポキシ接着剤を介して金属板（４）に接着されている、ことを特徴とする請求項２に記載の外壁を装飾するための保温幅木構造。
【請求項４】
前記断熱層（２）は、押出シートである、ことを特徴とする請求項１に記載の外壁を装飾するための保温幅木構造。
【請求項５】
前記断熱層（２）は、少なくとも地下８００ｍｍに挿入する、ことを特徴とする請求項１に記載の外壁を装飾するための保温幅木構造。
【請求項６】
前記セメントプラスタ層（７）の外側は、硬化した散水構造（５）であり、前記セメントプラスタ層（７）と散水構造（５）との間の隙間は、コーキング材（６）によって充填される、ことを特徴とする請求項１に記載の外壁を装飾するための保温幅木構造。  
【請求項７】
前記水切り板（３）の外縁は、散水構造（５）の上方まで延在する、ことを特徴とする請求項６に記載の外壁を装飾するための保温幅木構造。
【請求項８】
前記金属板（４）は、亜鉛めっき鋼板である、ことを特徴とする請求項１に記載の外壁を装飾するための保温幅木構造。
【請求項９】
前記金属板（４）の下端は、接着剤を介して建築本体（１）の外壁に接着されている、ことを特徴とする請求項１に記載の外壁を装飾するための保温幅木構造。
【請求項１０】
前記金属板（４）地上部分の外表面を漆で塗る、ことを特徴とする請求項１に記載の外壁を装飾するための保温幅木構造。  
【考案の詳細な説明】
【技術分野】
【０００１】
本考案は、建築壁体構造分野に関し、特に外壁を装飾するための保温幅木構造に関する。
【背景技術】
【０００２】
近年、建築物の外壁に対して装飾や保護を行うことが技術発展の傾向になっており、その保護形態も多様化しており、例えば、花崗岩、大理石ベニヤを用いたもの、セラミック外壁レンガを用いたものがあり、石質塗料で塗装されたものもある。このような傾向は、日増しに顕著になってきている。外壁に幅木を設置して装飾に用いる傾向も見ることができる。建築業界の省エネ・ＣＯ２排出削減事業の発展に伴い、新築建築や既存建築の外壁外保温設計も必然的な流れと言える。
【０００３】
従来の外壁の幅木部位に関して、一般的に、外壁、特に壁の隅部と基礎との間に隙間がある場合、様々な外界条件の侵食を受けて破壊されることは避けられず、雨水は下方の隙間から建物の外壁へ侵入しやすい。同時に、一般的な幅木の機能は単一であり、防水としてのみ使用されている。
【考案の概要】
【考案が解決しようとする課題】
【０００４】
本考案は、上記した従来の問題に鑑みなされたもので、外壁を装飾することもできる保温幅木構造を提供することを、目的とする。
【課題を解決するための手段】
【０００５】
上記技術問題を解決するために、本考案は、外壁を装飾するための保温幅木構造を提供する。本考案の用いる技術案は、以下のとおりである。
【０００６】
建築本体を備えた外壁を装飾するための保温幅木構造であって、建築本体の外側には、断熱層が設けられており、断熱層上段は、地上に位置しており、下段は、地下に挿入されており、断熱層の上方には、断熱層上方の水流を遮蔽するための水切り板が設けられている。
断熱層の外側には、金属板が敷設されており、金属板は、断熱層の外側表面を完全に覆い、且つ下方向に向かって延伸して下端が断熱層の底部を覆ってから、建築本体の外壁に密着している。
前記金属板地下の部分の外側には、セメントプラスタ層が設けられている。
【０００７】
さらに、前記セメントプラスタ層と金属板との間には、金属網が設けられており、前記金属網は、金属板上に固定されており、セメントプラスタ層は、網掛けプラスタ施工法により金属板の外側に設けられている。
【０００８】
さらに、前記金属板と金属網との間にエポキシ接着剤が塗布されており、金属網は、エポキシ接着剤を介して金属板に接着されている。
【０００９】
さらに、前記断熱層は、押出シートである。
【００１０】
さらに、前記断熱層は、少なくとも地下８００ｍｍに挿入する。
【００１１】
さらに、前記セメントプラスタ層の外側は、硬化した散水構造であり、前記セメントプラスタ層と散水構造との間の隙間は、コーキング材によって充填される。
【００１２】
さらに、前記水切り板の外縁は、散水構造の上方まで延在する。
【００１３】
さらに、前記金属板は、亜鉛めっき鋼板である。
【００１４】
さらに、前記金属板の下端は、接着剤を介して地盤の外壁に接着されている。
【００１５】
さらに、前記金属板地上部分の外側を漆で塗る。
【考案の効果】
【００１６】
本考案は、外壁を装飾するための保温幅木構造を提供する。従来技術に比べて、本考案の有益な効果は、以下の通りである。
本考案による外壁を装飾するための保温幅木構造は、従来の幅木の基礎上に保温機能を加え、主に建築本体の外側に直接設置された断熱層によって実現されているが、建築外側に断熱層を直接設置すると、断熱層はすぐに雨水や土壌中の多湿環境の侵食を受けて、保護作用を失ったり、又は断熱層の保護不足ため外力による破損したりする。このため、本考案による外壁を装飾するための保温幅木構造の外側には、まず、金属板が設置されており、金属板は断熱層の外側を完全に覆い、且つ下方向に向かって延伸して下端が断熱層の底部を覆ってから、建築本体に貼り合わせることで、断熱層を土壌中の多湿環境や生物侵食から効果的に守ることができる。また、金属板は、比較的優れた強度と展延性を持ち、内部の保温材を効果的に保護することができる。
【００１７】
しかし、土壌の多湿環境は、依然として金属板を腐食する可能性があるため、この状況を避けるために、金属板の地下に位置する部分の外側には、さらに、セメントプラスタ層を設置し、セメントのアルカリ性環境を利用して地下の金属板を土壌の多湿環境の腐食から守る。同時に、建築本体からたまった雨水が、断熱層上に直接に落下して断熱層を損傷するのを防ぐために、断熱層の上方には、水切り板が設けられている。
以上の技術案によれば、建築を断熱層で保温するとともに、水切り板と断熱層の外側の金属板を介して防水を行い、地面の多湿環境が、外壁を直接に侵食するのを防ぐために、断熱板及び金属板の下方は、地下に挿入され、その後、地下の金属板をセメントプラスタ層で保護する。
【図面の簡単な説明】
【００１８】
【図１】本考案による外壁を装飾するための保温幅木構造全体の構造概略図である。
【図２】図１におけるＡ箇所の拡大図である。
【考案を実施するための形態】
【００１９】
以下は、添付図面を結び付けながら、本考案の具体的な実施形態を詳細に説明する。記述された具体的な実施形態は、説明及び解釈の目的のためだけに示されており、本考案の範囲を限定することを意味していないということに留意されたい。
本明細書では、逆意味を説明しない場合、「上」、「下」、「左」、「右」などの方向を示す用語は、通常、図１の「上」、「下」、「左」、「右」位置を示すことで用いられる。「内」、「外」を示す用語は、各部品自体の輪郭に対する内、外であり、すなわち、図１における右側は外とし、左側は内とする。以下は、添付図面を参照するとともに、実施形態を結び付けながら、本考案を詳細に説明する。
【００２０】
従来の幅木機能が単一であるという技術問題を解決するために、本考案は、外壁を装飾するための保温幅木構造を提案する。図１及び図２に示すように、建築本体１を備えた外壁を装飾するための保温幅木構造は、建築本体１の外側には、断熱層２が設けられており、断熱層２上段は、地上に位置しており、下段は、地下に挿入されており、断熱層２の上方には、水切り板３が設けられている。
【００２１】
断熱層２の外側には、金属板４が敷設されており、金属板４は、断熱層２の外側表面を完全に覆い、且つ下方向に向かって延伸して下端が断熱層２の底部を覆ってから、建築本体１の外壁に密着している。
【００２２】
前記金属板４地下の部分の外側には、セメントプラスタ層７が設けられている。
【００２３】
図１に示すように、幅木を設置する必要がある建築本体１は、下方の地盤１ｂと、地盤１ｂ上方の外壁１ａとに分かれており、地盤１ｂ自体は、良好な防水能力を有しており、土壌が地盤１ｂを腐食させにくいが、建築外壁１ａが異なり、壁体が湿ると、脱落、保温能力が失われるなどの問題を引き起こしやすい。このため、本実用性の幅木は、主に上方の外壁１ａ部分を保護するためのものである。
【００２４】
本考案による外壁を装飾するための保温幅木構造は、従来の幅木の基礎上に保温機能を加え、主に建築本体１の外側に直接設置された断熱層２によって実現されているが、建築外側に断熱層２を直接設置すると、断熱層２はすぐに雨水や土壌中の多湿環境の侵食を受けて、保護作用を失ったり、又は断熱層２の保護不足による外力で破損したりする。このため、本考案による外壁を装飾するための保温幅木構造の外側には、まず、金属板４が設置されており、金属板４は断熱層２の外側を完全に覆い、且つ下方向に向かって延伸して断熱層２の底部を覆ってから、建築本体１に貼り合わせることで、断熱層２を土壌中の多湿環境や生物侵食から効果的に守ることができる。また、金属板４は、比較的優れた強度と展延性を持ち、内部の保温材を効果的に保護することができる。金属板４は、安価で、かつ強度が比較的強く、広く利用されている鋼板を採用することが好ましい。
【００２５】
しかし、土壌の多湿環境は、依然として金属板４を腐食する可能性があるため、この状況を避けるために、金属板４の地下に位置する部分の外側には、さらに、セメントプラスタ層７を設置し、セメントのアルカリ性環境を利用して地下の金属板４を土壌の多湿環境の腐食から守る。同時に、建築本体１からたまった雨水が、断熱層２上に直接に落下して断熱層２を損傷するのを防ぐために、断熱層２の上方には、水切り板３が設けられている。
【００２６】
以上の技術案によれば、建築を断熱層２で保温するとともに、水切り板３と断熱層２の外側の金属板４を介して防水を行い、地面の多湿環境が、外壁１ａを直接に侵食するのを防ぐために、断熱板及び金属板４の下方は、地下に挿入され、その後、地下の金属板４をセメントプラスタ層７で保護する。
【００２７】
金属板４の外側にセメントプラスタ層７を塗布することを容易にするために、金属板４とセメントプラスタ層との間には、金属網が設けられることが好ましい。セメントプラスタ層は、網掛けプラスタ施工法により金属板４の外側に設けられており、金属網は、金属板４上に固定され、固定方式は、電気溶接又はねじ固定によって固定してもよい。好ましくは、金属板４と金属網との間にエポキシ接着剤が塗布されており、エポキシ接着剤は、金属板４の耐食性や防水性能を向上させることができるとともに、エポキシ接着剤が金属網を金属板４に接着することができる。
【００２８】
断熱板は、一般的な発泡プラスチック板又はガラス繊維メッシュ布など、様々な形態をとることができ、押出シートを採用することが好ましい。押出シート自体は、比較的優れた強度を有し、施工を容易にするとともに、製造コストが低い。
【００２９】
土壌中の侵食から良好な保護を得るために、断熱層２は、地下に少なくとも８００ｍｍの深さに挿入する必要があり、同じことは、外側の金属板４の地下に挿入する深さは断熱層２よりも大きい。
【００３０】
図１に示すように、前記セメントプラスタ層７の外側は、硬化した散水構造５であり、前記セメントプラスタ層７と散水構造５との間の隙間は、コーキング材６によって充填される。
【００３１】
前記水切り板３の外縁は、散水構造５の上方まで延在する。
【００３２】
前記金属板４の下端は、接着剤を介して建築本体１の外壁に接着されている。
【００３３】
前記金属板４地上部分の外表面を漆で塗る。
【００３４】
上記実施例は、本考案の好ましい実施形態であり、本考案の保護範囲を限定することを意図されていない。本考案の設計精神から逸脱することなく、当業者が本考案の技術案に対するいかなる変形および改善（旧住宅内装に本考案を利用することを含む）も、本考案の特許請求の範囲に記載された保護範囲内に含まれるものとする。
【符号の説明】
【００３５】
１  建築本体
１ａ  外壁
１ｂ  地盤
２  断熱層
３  水切り板
４  金属板
５  散水構造
６  コーキング材
７  セメントプラスタ層
【図１】
0003234384.tif 000003
【図２】
0003234384.tif 000004